(57)【特許請求の範囲】
【請求項１】
印刷用紙（１）が移送装置（２）のサドル状支え（６）上を馬乗りになって循環する押しコンベア（８）により輸送され、移送装置（２）のブレード（１３）により取り除かれて、除去装置（３０）に引き渡される印刷用紙を収集加工する搬送装置において、移送装置（２）はブレード（１３）の領域で傾斜下降して延びていて、押しコンベア（８）は印刷用紙（１）を搬送方向に対して垂直に移動出来ないブレード（１３）上に押し開き、移送装置（２）は一個の無端二重チェーン（５）を有し、ブレード（１３）は無端二重チェーン（５）からブレード（１３）までの引渡し領域（Ａ）で無端二重チェーン（５）の両ストランド（５ａ）の間に係合することを特徴とする供給装置。
【請求項２】
ブレード（１３）は移送装置（２）の稜線（１４）とおよそ一直線に並んで延びている上支え辺（１３ｂ）を有することを特徴とする請求項１に記載された装置。
【請求項３】
ブレード（１３）は水平方向に延びるレールであることを特徴とする請求項１又は請求項２に記載された装置。
【請求項４】
ブレード（１３）は少なくとも一個の窪み（１３ｄ）を有し、印刷用紙（１）はこの窪み（１３ｄ）で除去装置（３０）によって捕捉されることを特徴とする請求項１乃至請求項３のいずれか一項に記載された装置。
【請求項５】
ブレード（１３）は二個の相前後して配置された窪み（１３ｄ）を有し、そして除去装置（３０）はこれら窪み（１３ｄ）に一致して二個の締めつけ部材（２２ａ）を有し、これら締めつけ部材は印刷用紙（１）をそれぞれに窪み（１３ｄ）の領域で捕捉されてブレード（１３）から回転して下降することを特徴とする請求項４に記載された装置。
【請求項６】
ブレード（１３）は前端（１３ａ）により無端二重チェーン（５）の両ストランド（５ａ）の間に係合することを特徴とする請求項１乃至請求項５のいずれか一項に記載された装置。
【請求項７】
移送装置（２）は横に配置された印刷用紙（１）用案内板（１１）を有することを特徴とする請求項１乃至請求項６のいずれか一項に記載された装置。
【請求項８】
案内板（１１）はそれぞれ一個の上で実質的に水平に延びている辺（１１ｂ）を有し、そしてサドル状支え（６）はブレード（１３）の前でこの辺（１１ｂ）の上部に延びていてブレード（１３）の領域でこの辺（１１ｂ）の下に下降されることを特徴とする請求項７に記載された装置。
【請求項９】
案内板（１１）は垂線に対して傾斜して配置されていることを特徴とする請求項７又は請求項８に記載された装置。
【請求項１０】
移送装置（２）はブレード（１３）の領域で最初に水平領域（１４ａ）に沿って延びていて、チェーン歯車（９）によって形成された折曲箇所（Ｂ）において引渡し領域（Ａ）に転向され、傾斜して下降する領域（１４ｂ）に移行することを特徴とする請求項１乃至請求項９のいずれか一項に記載された装置。
【発明の詳細な説明】
【０００１】
【発明の属する技術分野】
この発明は、印刷用紙が移送装置のサドル状支え上を馬乗りになって循環する押しコンベアにより移送され、移送装置のブレ─ドにより取り除かれて、除去装置に引き渡される印刷用紙を収集加工する搬送装置に関する。
【０００２】
【従来の技術】
これら搬送装置はこの出願人のスイス特許出願公開第３５８１００号公報によって公知になっていた。印刷用紙を移送装置により取り除くために、除去ブレ─ドが設けられていて、すべりレ─ルに取り付けられた長さ方向スリットの下に配置されている。操作システムによりこのブレ─ドは周期的に縦運動成分と送り方向に配向された運動成分とにより送り方向に斜めに前記長さ方向スリットを通して持ち上げられる。除去ブレ─ドのこの運動により印刷用紙は移送装置により取り除かれる。印刷用紙が折り畳まれ、個々に或いは仮綴じするために集合された用紙である。
【０００３】
この種の改良された搬送装置は、出願人のスイス特許出願公開第５２５１４２号公報を示す。この装置は、より高速度を可能とする。用紙はここで同様にブレ─ドにより持ち上げられ、そのブレ─ドは周期的に縦成分と送り方向に配向された成分とにより移動される。ブレ─ドにより高く持ち上げられた用紙は相前後して配置されて駆動されたロ─ラ対の間に挿入される。用紙を受取り前にロ─ラ対を通して集合チェ─ンの作用領域から運搬するために、補助ブレ─ドが設けられている。
【０００４】
【発明が解決しようとする課題】
前記装置が実際に其自体多数も確認されたにもかかわらず、発明者は簡単で、それにもかかわらず能率良く且つ作用の確実であるこの種の搬送装置を創作する課題を提供する。
【０００５】
【課題を解決するための手段】
この課題は、この種類の搬送装置では、移送装置がブレ─ドの領域において下降し、押しコンベアが印刷用紙を移送方向に対して移動出来ないブレ─ド上に押し開くことによって解決される。この発明の装置では、ブレ─ドは移動されない。一方では従来は必要で且つ比較的に費用のかかる運動システムが省略され、他方ではブレ─ドが用紙に衝撃を与えないから、用紙が大切に扱われる。用紙は押しコンベアによって静止ブレ─ド上に押し開いて、引き続き押しコンベアは移送装置の下降によってその都度に押しコンベアがもはや用紙に作用しない位置に運ばれる。この発明の装置は、移送装置からブレ─ドへ用紙を連続的且つ極めてやさしいけれども、敏速な受渡しを可能とし、用紙はその都度に除去装置によって捕捉される。この除去装置は、この除去装置がこの出願人の欧州特許出願公開第７７１６７５号公報によって公表されているように特に回転装置である。
【０００６】
この発明の更なる態様によると、ブレ─ドが移送装置の稜線と一直線に並んで延びている上支え辺を有する場合には、用紙のブレ─ドへの受渡しは特に作用が確実で且つやさしい。押しコンベアは用紙をその都度にこの上支え辺上へ移動させ、この際に用紙は持ち上げられないか或いはほんの僅か持ち上げられ、それで実質的に水平で且つ一直線に供給される。
【０００７】
ブレ─ドが少なくとも一個の窪みを有し、その窪み領域で用紙が例えば回転除去装置によって折り目で捕捉される、例えばクランプにより捕捉され得る場合には、ブレ─ドからの用紙の除去は特に確実である。この発明の更なる態様によると、二つの窪みが互いに間隔をおいて配置されているならば、用紙はその都度に互いに間隔をおいて配置された二つの位置で捕捉される。この事は、ブレ─ドからの除去の際に用紙の特に確実な案内を可能とする。
【０００８】
移送装置は、この発明の更なる態様によると、一個の二重チェ─ンを有し、ブレ─ドを二重チェ─ンの両ストランドの間に捕らえる。この事は、ブレ─ドが比較的に細く形成され得るから、可能である。
【０００９】
この発明の更なる態様によると、移送装置の傍の横には、印刷物用の水平に延びる一枚の案内板が配置されている。この案内板は特にブレ─ドの領域に延びていて用紙をこの領域に案内するので、用紙はＶ字状に開かれ、そして、押しコンベアは移送装置の垂直領域で極めて敏速に、押しコンベアがその作用領域外にある位置へ運ばれる。特に、移送装置の各面には一枚の案内板が配置されている。
【００１０】
更に好ましい特徴は、従属請求の範囲、次の詳細な説明と図面から明らかになる。
【００１１】
【発明の実施の態様】
この発明の実施例は次に図面に基づいて詳細に説明される。図１はこの発明の搬送装置の概略図を示し、図２は図１の矢印ＩＩの方向における搬送装置の概略図を示し、図３ａから図３ｃはブレ─ド上における印刷見本の押し開きを概略的に示す。
【００１２】
図示された搬送装置は、図１に断面で図示された移送装置２を有し、その移送装置は図２によると、機台２５に取り付けられた架台２４を持つ。この移送装置２は、チェ─ン駆動歯車３、転向チェ─ン歯車４と９の周り及びここに図示されていない別のチェ─ン歯車の周りに巻き付いている無端二重チェ─ン５を有する。この二重チェ─ン５は図２によると、互いに平行に延び且つ隙間２６を形成する二つのチェ─ンストランド５ａを有する。両チェ─ンストランド５ａはその都度に図１に図示されたスタッドなしリンク７を有し、そのスタッドなしリンク上に支え部材６が配置されている。
【００１３】
これらの部材６はチェ─ンストランド５ａと共に走行し、図２によると、サドル状或いは屋根状支えを形成する。両チェ─ンストランド５ａは同じ速度で走行する。スタッドなしリンク７上には、図２によると、それぞれ側面に設けられている押しコンベア８は等間隔に配置されている。それぞれ二つの押しコンベア８の間には、図１によると、馬乗りになって二重チェ─ン５上に載置する印刷製品１は右から左へ輸送される。その押しコンベア８はそれぞれに後側に且つ折り目１ａの領域で印刷製品１に密接する。印刷製品１は例えばここでは図示されていない当接体と共に移送装置２上に或いは前方に配置された収集チェ─ン上に載置される。
【００１４】
両紙部分１ｂは架台に固定された定置案内板１１によって、用紙１がその都度に図２によると、縦断面でＶ字状に開かれるように、案内されている。  案内板１１は、それぞれに一平面で且つ図２によると、垂線に対して傾斜したすべり面１１ａを形成する。板１１は、図１によると、特に実質的に供給区間の全長にわたり且つ特に実質的にチェ─ン駆動歯車３の領域にまで延びている。板１１は、言及の如く定置されていて、適当な手段により架台２４を介して機台２５に固定されている。
【００１５】
二重チェ─ン５は、図１によると、間隔をとってチェ─ン駆動歯車３に対してチェ─ン歯車９によって、受渡し領域Ａにて折り箇所Ｂが形成されるように、転向されており、この折り箇所では図３ａから図３ｃまでに点線で図示された稜線１４が水平領域１４ａから傾斜下降された領域１４ｂへ移行される。
【００１６】
受渡し領域Ａでは定配置されたブレ─ド１３は隙間２６に且つそれにより両チェ─ンストランド５ａ間に係合する。ブレ─ド１３は比較的細いレ─ルであり、実質的に水平に延びている上辺１３ｂを有する。前端１３ａには、図３によると、この上辺１３ｂが一部分稜線１４の水平領域１４ａの下に接触する。辺１３ｂの水平な延びは、間隔をおいて互いに配置されている二個の窪み１３ｄにより中断されている。両窪み１３ｄの間には上述の案内突起１３ｃがあり、その案内突起は図示されるように移送方向に平坦に上昇して、引き続き急傾斜にて下降するよう形成されている。
【００１７】
ブレ─ド１３の上には支え（Auslage)と呼ばれた除去装置３０が配置され、時計針方向に定置軸２０の周りに回転するように駆動されるプロペラ状キャリア２１を有する。駆動は例えば歯付きベルト１６が掛けわたされている駆動歯車１５並びに張り車１８を有する伝動装置１７によって行われ、歯付きベルト１６は歯車１９と噛み合う。キャリア２１には対称的配列で軸２０に対して間隔をおいてそれぞれ一個のつかみ部材２２が配置され、そのつかみ部材２２により用紙１が折り目１ａの領域で捕まえられる。そのつかみ部材２２は例えばそれぞれ互いに間隔をおいて配置された二つのクランプ２２ａを有する。キャリア２１は移送装置２に対して正確な周期で回転する。
【００１８】
次に搬送装置の作動態様が説明される。無端二重チェ─ン５は、図１によると、矢印１２の方向に駆動され、印刷製品１を右から左へ輸送する。この場合に印刷製品１は支え部材６並びに案内板１１により案内される。図３ａによると、印刷製品１が受渡し領域Ａに到達すると、この印刷製品は最先辺１ｃによりブレ─ド１３の前端１３ａ上に当接押しコンベア８によって押し上げられ、ほぼ折り目点Ｂで印刷製品１がその前端にて折り目１ａで辺１３ｂ上に乗り上げる。この場合にブレ─ド１３はその前端１３ａにより用紙１の両部分１ｂ間に係合する。押しコンベア８は、最先辺１ｃがほぼ図３ｂに示された位置に到達するまで用紙１を連続的にブレ─ド１３上に移動される。
【００１９】
更なる移送の場合には、移動する押しコンベア８が二重チェ─ン５の転向により縦運動成分を下方へ案内し、最終的に図３ｃによると、押しコンベア８がもはや印刷製品１と係合しなく且つ押しコンベア８が案内板１１の間に沈む位置に到達する。この瞬間に印刷用紙１が折り目１ａでつかみ部材２２により捕まれ、時計針方向に回転してブレード１３から取り除かれる。同時に、次の別の印刷製品１がブレード１３上に押し上げられ、前述の過程が同じ方法で繰り返される。除去装置３０は捕捉された印刷製品１を別の移送装置や通常には別の加工機械、例えば切断機に導く。
【００２０】
【発明の効果】
この発明によると、簡単で、それにもかかわらず能率良く且つ作用の確実である搬送装置を提供できる。一方では従来は必要で且つ比較的に費用のかかる運動システムが省略され、他方ではブレ─ドが用紙に衝撃を与えないから、用紙が大切に扱われる。この発明の装置は、移送装置からブレ─ドへ用紙を連続的且つ極めてやさしいけれども、敏速な受渡しを可能とし、用紙はその都度に除去装置によって捕捉される。例えばクランプにより捕捉され得る場合には、ブレ─ドからの用紙の除去は特に確実である。
【図面の簡単な説明】
【図１】この発明の搬送装置の概略図を示す。
【図２】図１の矢印ＩＩの方向における搬送装置の概略図を示す。
【図３】図３ａから図３ｃはブレ─ド上における印刷見本の押し開きを概略的に示す。
【符号の説明】
１・・・印刷用紙
２・・・移送装置
５・・・二重チェ─ン
６・・・支え部材
８・・・押しコンベア
１１・・案内板
１３・・ブレ─ド
１３ｄ・・窪み
１４ａ・・折り目
１５・・駆動歯車
１６・・歯付きベルト
１７・・伝動装置
２１・・キャリア
２２・・つかみ部材
３０・・除去装置
【図１】
0004756725.tif 000002
【図２】
0004756725.tif 000003
【図３】
0004756725.tif 000004